(57)【特許請求の範囲】
【請求項１】
塵芥収容箱の後方に塵芥投入箱が連接して配置され、塵芥投入箱内に投入された塵芥を塵芥収容箱内に押し込む積込装置及び、塵芥収容箱内に配設され塵芥収容箱内に収容された塵芥を排出する排出装置とを有する塵芥収集車において、
塵芥投入箱内に回転自在に設けられて該塵芥投入箱内に投入された塵芥を掻き上げる回転板と、揺動前端位置と揺動後端位置との間を揺動して上記回転板によって掻き上げられた塵芥を塵芥収容箱内に積み込む押込板と、押込板内に収納された収納位置と押込板前方に突出する突出位置とに選択的に保持される補助押込板とを具備する積込装置と、
上記押込板と対向配置されて積込装置に接近する前進方向と離間する後退方向に水平移動自在に塵芥収容箱内に支持された排出板を具備する排出装置と有し、押込板が所定値以上の塵芥押込反力作用時に排出板を後退せしめ、かつ補助押込板が押込板から突出した状態において回転板が所定値以上の塵芥掻き上げ反力作用時に排出板を後退せしめることを特徴とする塵芥収集車。
【請求項２】
排出装置が、供給される油圧により伸縮して排出板を前進及び後退せしめる排出シリンダを有し、
押込板が所定値以上の塵芥押込反力作用時に排出シリンダ内の油を排出して排出板を後退せしめ、かつ補助押込板が押込板から突出した状態において回転板に所定値以上の塵芥掻き上げ反力作用時に排出シリンダ内の油を排出して排出板を後退せしめることを特徴とする請求項１に記載の塵芥収集車。
【請求項３】
積込装置が、供給される油圧により伸縮して押込板を揺動せしめる押込シリンダ及び供給される油圧により回転して回転板を回転せしめる油圧モータを有し、
押込シリンダが所定値以上の油圧作用時に排出シリンダ内の油を排出して排出板を後退せしめ、かつ補助押込板が押込板から突出した状態において油圧モータが所定値以上の油圧作用時に排出シリンダ内の油を排出して排出板を後退せしめることを特徴とする請求項２に記載の塵芥収集車。
【請求項４】
上記排出シリンダが、上記押込シリンダに所定値以上の油圧作用時に開放する第１パイロット弁を介在する第１接続管路を介してドレン管路に接続され、第１パイロット弁より上流側で第１接続管路から分岐して補助押込板が押込板内に収納された状態において閉鎖されかつ補助押込板が押込板から突出した状態において開放する第１ソレノイド弁及び油圧モータが所定値以上の油圧作用時に開放する第２パイロット弁を具備してドレン管路に接続される第２接続管路を有することを特徴とする請求項３に記載の塵芥収集車。
【請求項５】
塵芥収容箱の後方に塵芥投入箱が連接して配置され、塵芥投入箱内に投入された塵芥を塵芥収容箱内に押し込む積込装置及び、塵芥収容箱内に配設され塵芥収容箱内に収容された塵芥を排出する排出装置とを有する塵芥収集車において、
塵芥投入箱内に回転自在に設けられて該塵芥投入箱内に投入された塵芥を掻き上げる回転板及び供給される油圧により回転して上記回転板を回転せしめる油圧モータと、揺動前端位置と揺動後端位置との間を揺動して上記回転板によって掻き上げられた塵芥を塵芥収容箱内に積み込む押込板及び供給される油圧により伸縮して押込板を揺動せしめる押込シリンダと、押込板内に収納された収納位置と押込板前方に突出する突出位置とに選択的に保持される補助押込板とを具備する積込装置と、
上記押込板と対向配置されて積込装置に接近する前進方向と離間する後退方向とに水平移動自在に塵芥収容箱内に支持された排出板及び供給される油圧により伸縮して排出板を前進及び後退せしめる排出シリンダを具備する排出装置と有し、
上記排出シリンダが、上記押込シリンダが所定値以上の油圧作用時に開放する第３パイロット弁を介在する第３接続管路を介してドレン管路に接続され、第３パイロット弁より上流側で第３接続管路から第２ソレノイド弁を介して分岐して油圧モータに所定値以上の油圧作用時に開放する第４パイロット弁を具備してドレン管路に接続される第４接続管路を有し、
上記第２ソレノイド弁は、補助押込板が押込板内に収納された状態において第３接続管路が連通されると共に第４接続管路が閉鎖して押込シリンダが所定値以上の油圧作用時に排出シリンダ内の油を第３接続管路及びドレン管路介して排出して排出板を後退せしめ、
かつ上記第２ソレノイド弁は、補助押込板が押込板から突出した状態において第３接続管路が閉鎖し第４接続管路が連通して油圧モータが所定置以上の油圧作用時に排出シリンダ内の油を第４接続管路及びドレン管路を介して排出して排出板を後退せしめることを特徴とする塵芥収集車。
【発明の詳細な説明】
【０００１】
【発明の属する技術分野】
本発明は、塵芥収集車に係わり、特に分別された嵩の低い厨雑芥等の塵芥と嵩の高い空き缶やペットボトル等のいわゆる資源ゴミ等の塵芥等のように種類の異なる塵芥を効率的に積み込み可能にする塵芥収集車に関する。
【０００２】
【従来の技術】
一般に、塵芥収集車は、例えば図９に概略を示すように車両の中央に塵芥収容箱１０１が設けられ、この収容箱１０１の後方に塵芥投入箱１０２が配置されている。
【０００３】
そして塵芥投入箱１０２内には、投入口から塵芥投入箱１０２に投入された塵芥を塵芥収容箱１０１に積み込む積込装置１０３が設けられ、塵芥収容箱１０１内には、水平移動自在に支承されて排出シリンダ１１３の伸縮によって水平移動するパネル状の排出板１１４を具備する排出装置１１０が設けられている。
【０００４】
この塵芥積込装置１０３は、塵芥投入箱１０２内に車幅方向に沿って設けられた回転軸１０４によって回転自在に軸支される回転板１０５と、回転軸１０４の上方で車幅方向に沿って塵芥投入箱１０２に設けられた押込板支持軸１０６に揺動自在に支持された押込板１０７とを有し、回転板１０５は回転軸１０４を介して例えば油圧モータによって、押込板１０７は押込シリンダ１０８によって各々作動する。
【０００５】
積込装置１０３の作動は、図１０（ａ）に示すように回転板１０５の先端が塵芥収容箱１０１の床面１０１ａと略同一高さに位置し、かつ押込板１０７が揺動前端位置にある状態において投入口から塵芥を塵芥投入箱１０２内に投入し、積込ボタン等を操作するとその信号に従って図１０（ｂ）のように回転板１０５が回転開始し、更に図１０（ｃ）のように押込板１０７が揺動前端位置より揺動後端位置に向けてその揺動を開始すると共に回転板１０５により投入された塵芥の掻き上げを開始し、図１０（ｄ）のように回転板１０５の先端が塵芥収容箱１０１の床面１０１ａと略同一高さまで回転して停止する。
【０００６】
続いて、図１０（ｅ）に示すように押込板１０７を揺動後端位置から揺動前端位置に向けて揺動することにより回転板１０５によって掻き上げられた回転板１０５上の塵芥を塵芥収容箱１０１内に押し込み、押込板１０７は揺動前端位置で停止して図１０（ａ）の位置に復帰する。この各工程を繰り返すことにより塵芥投入箱１０２に投入された塵芥を順次塵芥収容箱１０１内に押し込むように構成されている。
【０００７】
塵芥の積み込み中、塵芥収容箱１０１内に積み込まれる塵芥が増大すると、押込板１０７に作用する反力が大きくなり、その結果、押込シリンダ１０８の油圧が上昇する。そして押込シリンダ１０８の油圧が所定値より高くなると、塵芥を排出する排出装置１１０に設けられた排出シリンダ１１３の油圧を低下させる。
【０００８】
排出シリンダ１１３の油圧が低下すると、押込板１０７による押込圧とバランスしながら排出板１１４が後退して塵芥が塵芥収容箱１０１内に積み込まれ、そして押込シリンダ１０８の油圧が設定値以下になると、排出板１１４の後退は停止する。この作用により塵芥が圧縮されながら塵芥収容箱１０１内に順に積み込まれる。
【０００９】
一方、環境問題や資源再利用に対する関心の高まりから例えば空き缶やペットボトル等の再資源化が叫ばれている。
【００１０】
再資源材料として厨雑芥とは分別されて回収される資源ゴミ、例えば空き缶やペットボトル等の塵芥は一般に嵩が高く、これら嵩の高い塵芥を効率よく回収するため、例えば特開平８ー２２５１０５号公報に示されるように塵芥を圧潰して減容した後に塵芥収容箱に押し込む塵芥収集車がある。
【００１１】
しかし、前者にあっては主に厨雑芥等の嵩の低い塵芥を積み込むのに適した塵芥収集車であり、空き缶やペットボトル等の嵩の高い塵芥を積み込むことは、塵芥収容箱内への塵芥積載効率上好ましくなく収集及び輸送コストの高騰を招き、また後者にあっては嵩の高い塵芥を圧潰して減容して効率的に積み込み得るものの、厨雑芥等の塵芥に掻込板による過大の圧力が付与されると塵芥に含まれていた汚水が周囲に飛散する等の不具合があり、これら異なる積込装置を有する塵芥収集車の一方を共用することは作業効率上好ましくなく、また塵芥の種類に応じた塵芥収集車を各々準備して塵芥の種類に応じて使い分けることは、その塵芥収集車の維持管理が複雑になり、かつコストの高騰を招く等の不具合がある。
【００１２】
この対策として、本特許出願人は、特願平９ー６３５５６号によって塵芥収集車を提案した。
【００１３】
この塵芥収集車は、塵芥投入箱内に回転自在に設けられて塵芥投入箱内に投入された塵芥を掻き上げる回転板と、揺動前端位置と揺動後端位置との間を揺動して回転板によって掻き上げられた塵芥を塵芥収容箱内に積み込む押込板と、この押込板内に収納された収納位置と押込板から前方に突出する突出位置との間を移動可能に押込板に支持される補助押込板と、この補助押込板を上記収納位置と突出位置との一方に選択的に固定する固定装置とを有する。
【００１４】
そして、厨雑芥等の嵩の低い塵芥の積み込みには、補助押込板を収納位置に固定し、塵芥投入箱内に投入された塵芥を上記回転板によって掻き上げ、回転板によって掻き上げられた上記塵芥を押込板によって効率よく塵芥収容箱内に積み込む。
【００１５】
一方、空き缶やペットボトル等の嵩の高い塵芥を積み込む際には、補助積込板が押込板の前方に突出する突出位置に固定し、塵芥投入箱内に投入された塵芥を上記回転板によって掻き上げ、揺動後退位置における押込板から突出する補助押込板の下面と回転板とによって塵芥を圧潰して減容した後、揺動前端位置へ揺動する押込板によって塵芥を効率よく塵芥収容箱内に積み込むものであり、厨雑芥等の嵩の低い塵芥及び空き缶やペットボトル等の嵩の高い塵芥等異なる塵芥を効率的に積み込むことを可能にして塵芥収集車の共用化を図り、塵芥収集車の維持管理を容易にしている。
【００１６】
【発明が解決しようとする課題】
上記従来技術によると、予め分別された厨雑芥等の嵩の低い塵芥及び空き缶やペットボトル等の嵩の高い塵芥等の異なる種類の塵芥を効率的に積み込むことが可能になり、塵芥収集車の共用化が得られ、塵芥収集車の維持管理の簡素化が図られる。
【００１７】
しかし、厨雑芥等の嵩の低い塵芥と空き缶やペットボトル等の嵩の高い塵芥等のように塵芥の種類の相違にかかわらず、押込板に作用する反力に起因して押込シリンダの油圧が所定値まで上昇すると、その信号に従って排出シリンダの油圧を低下させて押込板による押込圧とのバランスを保ちながら排出板を後退せしめて塵芥を塵芥収容箱内に積み込むことから、押込板と排出板とによる圧縮を要しない、或いは殆ど要しない空き缶やペットボトル等の嵩の高い塵芥にあっても、一様に排出板を押込シリンダの油圧が所定値まで上昇した後に、排出シリンダの油圧を低下させて後退させることから、押込板と排出板とによる圧縮を要しない或いは殆ど要しない塵芥にあっても一様に圧縮付与した後に塵芥収容箱内へ積み込むことから効率的な塵芥の積み込み作業に影響を及ぼすおそれがある。
【００１８】
従って、かかる点に鑑みなされる本発明の目的は、分別された厨雑芥等の嵩の低い塵芥及び空き缶やペットボトル等の嵩の高い塵芥等異なる種類の塵芥を積み込む積み込み作業の効率化が得られる塵芥収集車を提供することにある。
【００１９】
【課題を解決するための手段】
上記目的を達成する請求項１に記載の発明は、塵芥投入箱内に回転自在に設けられて該塵芥投入箱内に投入された塵芥を掻き上げる回転板と、揺動前端位置と揺動後端位置との間を揺動して上記回転板によって掻き上げられた塵芥を塵芥収容箱内に積み込む押込板と、押込板内に収納された収納位置と押込板前方に突出する突出位置とに選択的に保持される補助押込板とを具備する積込装置と、上記押込板と対向配置されて積込装置に接近する前進方向と離間する後退方向に水平移動自在に塵芥収容箱内に支持された排出板を具備する排出装置と有し、押込板が所定値以上の塵芥押込反力作用時に排出板を後退せしめ、かつ補助押込板が押込板から突出した状態において回転板が所定値以上の塵芥掻き上げ反力作用時に排出板を後退せしめることを特徴とする。
【００２０】
従って、比較的嵩の低い厨雑芥等の塵芥の積み込みには、押込板内に補助押込板を収納して固定し、塵芥投入箱内に投入した塵芥を回転板により掻き上げ、回転板で掻き上げられた塵芥を押込板で塵芥収容箱内に積み込みかつ、押込板に塵芥の押込反力が所定以上作用すると自動的に排出板が後退することによって、ここで塵芥は強力に圧縮された後に塵芥収容箱内に収容されて収容効率の増大が得られる。
【００２１】
一方空き缶やペットボトル等の嵩の高い塵芥の積み込みには、押込板内から補助押込板を突出させて固定し、塵芥投入箱内に投入された塵芥を回転板によって掻き上げ、補助押込板の下面と回転板によって塵芥を圧潰して減容し、押込板によって塵芥収容箱内に積み込み、かつ回転板に所定以上の掻き上げ反力が作用すると自動的に排出板が塵芥によって後退することによって回転板による塵芥掻き上げ過程においても塵芥収容箱内への塵芥積み込みが許容され、押込板による押し込みに要する押込力の低減が得らることと相俟って塵芥の積み込み作業が円滑かつ効率的に行われる。
【００２２】
請求項２に記載の発明は、排出装置が、供給される油圧により伸縮して排出板を前進及び後退せしめる排出シリンダを有し、押込板が所定値以上の塵芥押込反力作用時に排出シリンダ内の油を排出して排出板を後退せしめ、かつ補助押込板が押込板から突出した状態において回転板が所定値以上の塵芥掻き上げ反力作用時に排出シリンダ内の油を排出して排出板を後退せしめるものであって、排出シリンダの油圧を制御することによって請求項１に記載の発明と同様塵芥の積み込み作業が円滑かつ効率的に行われる。
【００２３】
請求項３記載に発明は、積込装置が、供給される油圧により伸縮して押込板を揺動せしめる押込シリンダ及び供給される油圧により回転して回転板を回転せしめる油圧モータを有し、塵芥押込反力に相応して増大する押込シリンダに作用する油圧が所定値以上の時に排出シリンダ内の油を排出して排出板を後退せしめ、かつ補助押込板が押込板から突出した状態において塵芥掻き上げ反力に相応して増大する油圧モータに作用する油圧が所定値以上の時に排出シリンダ内の油を排出して排出板を後退せしめることにより塵芥の積み込み作業の円滑化及び効率化が得られる。
【００２４】
請求項４に記載の発明は、上記排出シリンダが、上記押込シリンダに所定値以上の油圧作用時に開放する第１パイロット弁を介在する第１接続管路を介してドレン管路に接続され、第１パイロット弁より上流側で第１接続管路から分岐して補助押込板が押込板内に収納された状態において閉鎖されかつ補助押込板が押込板から突出した状態において開放する第１ソレノイド弁及び油圧モータに所定値以上の油圧作用時に開放する第２パイロット弁を具備してドレン管路に接続される第２接続管路を有するものである。
【００２５】
また請求項５に記載の発明は、塵芥収容箱の後方に塵芥投入箱が連接して配置され、塵芥投入箱内に投入された塵芥を塵芥収容箱内に押し込む積込装置及び、塵芥収容箱内に配設され塵芥収容箱内に収容された塵芥を排出する排出装置とを有する塵芥収集車において、塵芥投入箱内に回転自在に設けられて該塵芥投入箱内に投入された塵芥を掻き上げる回転板及び供給される油圧により回転して上記回転板を回転せしめる油圧モータと、揺動前端位置と揺動後端位置との間を揺動して上記回転板によって掻き上げられた塵芥を塵芥収容箱内に積み込む押込板及び供給される油圧により伸縮して押込板を揺動せしめる押込シリンダと、押込板内に収納された収納位置と押込板前方に突出する突出位置とに選択的に保持される補助押込板とを具備する積込装置と、上記押込板と対向配置されて積込装置に接近する前進方向と離間する後退方向とに水平移動自在に塵芥収容箱内に支持された排出板及び供給される油圧により伸縮して排出板を前進及び後退せしめる排出シリンダを具備する排出装置と有し、上記排出シリンダが、上記押込シリンダが所定値以上の油圧作用時に開放する第３パイロット弁を介在する第３接続管路を介してドレン管路に接続され、第３パイロット弁より上流側で第３接続管路から第２ソレノイド弁を介して分岐して油圧モータに所定値以上の油圧作用時に開放する第４パイロット弁を具備してドレン管路に接続される第４接続管路を有し、上記第２ソレノイド弁は、補助押込板が押込板内に収納された状態において第３接続管路が連通されると共に第４接続管路が閉鎖して押込シリンダが所定値以上の油圧作用時に排出シリンダ内の油を第３接続管路及びドレン管路介して排出して排出板を後退せしめ、かつ上記第２ソレノイド弁は、補助押込板が押込板から突出した状態において第３接続管路が閉鎖し第４接続管路が連通して油圧モータが所定置以上の油圧作用時に排出シリンダ内の油を第４接続管路及びドレン管路を介して排出して排出板を後退せしめることを特徴とする。
【００２６】
【発明の実施の形態】
以下、本発明による塵芥収集車の第１実施の形態を図によって説明する。
【００２７】
図１は、塵芥収集車に設けられる塵芥積込装置の概要を説明する要部側面図であり、符号１は車両の中央に設けられる塵芥収容箱であって、この塵芥収容箱１の後方にブラケットを介して塵芥投入箱２の上端が揺動可能に支持され、塵芥収容箱１と塵芥投入箱２との間に架設されたリフトシリンダ３５の伸縮によって塵芥投入箱２が塵芥収容箱１に対して揺動し、かつ塵芥投入箱２の下端がロックシリンダ３１によって作動する固縛装置３によって塵芥収容箱１の床面１ａの後端に係止されるように構成されている。
【００２８】
塵芥投入箱２内には、塵芥投入箱２内に投入された塵芥を塵芥収容箱１内に積み込む積込装置１０が、塵芥収容箱１内には積込装置１０によって積み込まれた塵芥を塵芥収容箱１内から排出する排出装置２０が各々配設されている。
【００２９】
積込装置１０は、塵芥投入箱２内に車幅方向に沿って配置された押込板支軸１１に揺動自在に軸支される押込板１２と、押込板支軸１１の下方に平行配置される補助押込板支軸１３を介して押込板１２に揺動自在に軸支される補助押込板１４と、押込板１２の下方位置で車幅方向に沿って塵芥投入箱２に配設される回転軸１５に支持され、油圧モータ３３によって回転駆動される回転板１６とを有している。
【００３０】
押込板１２は、車幅方向に沿って補助押込板１４を収容可能に開口する略矩形の補助押込板収納部１２ａが形成され、押込板１２の上端と塵芥投入箱２の上端間に架設される押込シリンダ３４の伸縮によって押込板１２が上記押込板支軸１１を揺動中心に揺動前端位置と揺動後端位置との間を揺動する。
【００３１】
補助押込板１４は、図２（ａ）、（ｂ）に要部拡大断面図を示すように上記補助押込板収納部１２ａ内に収納可能な略矩形であって、補助押込板１４の上端が補助押込板支軸１３によって押込板１２に揺動可能に軸支され、更に補助押込板１４の下面に鋸歯状に突出する多数の突起を具備する受圧部１５ａ及び補助押込板１４の下縁に沿って受圧部１５ａから下方に突出する塵芥移動規制部材１５ｂが各々設けられている。
【００３２】
押込板１２と補助押込板１４との間には、補助押込板支軸１３によって揺動自在に軸支される補助押込板１４を、図２（ａ）に示すように補助押込板１４の前面１４ｂが押込板１２の前面１２ｂと略連続して補助押込板収納部１２ａ内に収納される収納位置と、図２（ｂ）に示すように、補助押込板１４の受圧部１５ａが押込板１２の前面１２ｂから前方に突出する突出位置とに選択的に位置決め固定する補助押込板固定装置（図示せず）が設けられると共に、補助押込板１４の突出を検出する突出検知スイッチ（図せず）が配置されている。
【００３３】
一方、塵芥収容箱１内に配設される排出装置２０は、水平移動自在に床面１ａ上に支承されて押出板１２と対向するパネル状の排出板２３を有し、排出板２３と塵芥収容箱１内の前部との間に架設された排出シリンダ３２の伸縮によって排出板２３が水平移動するように構成されている。
【００３４】
図３は、上記ロックシリンダ３１、排出シリンダ３２、油圧モータ３３、押込シリンダ３４、リフトシリンダ３５等の各油圧装置を作動制御するための油圧回路４０を示している。
【００３５】
図中、符号Ｔは油タンク、Ｐは油圧ポンプであって、油圧ポンプＰは第１、第２、第３、第４及び第５の主切換弁Ｖ１、Ｖ２、Ｖ３、Ｖ４、Ｖ５を介してロックシリンダ３１、排出シリンダ３２、油圧モータ３３、押込シリンダ３４、リフトシリンダ３５に接続されている。
【００３６】
油圧ポンプＰとロックシリンダ３１の収縮側油室３１ｂとの間は油圧供給管路Ａから分岐して第１主切換弁Ｖ１を介在する接続管路Ａ１によって連接され、油圧供給管路Ａと第１主切換弁Ｖ１との間に油圧ポンプＰからの油圧供給を許容するチェック弁ＣＶ１が介装され、ロックシリンダ３１の伸長側油室３１ａに接続される接続管路Ｂ１は第１主切換弁Ｖ１を介在して他端がフィルタＦを具備して油圧タンクＴに開放されるドレン管路Ｂに連接されている。
【００３７】
そして、第１主切換弁Ｖ１の切換によりロックシリンダ３１を収縮させることによって固縛装置３により塵芥投入箱２を塵芥収容箱１の床面１ａの後端に緊締し、ロックシリンダ３１の伸長によって固縛装置３による緊締が解放される。
【００３８】
油圧ポンプＰと排出シリンダ３２の収縮側油室３２ｂとの間は油圧供給管路Ａから分岐して第２主切換弁Ｖ２を介在する接続管路Ａ２によって連接され、排出シリンダ３２の伸長側油室３２ａと第２主切換弁Ｖ２との間は接続管路Ｂ２によって連接されている。
【００３９】
第２主切換弁Ｖ２と油圧モータ３３の正転側供給口３３ｂとの間は第３主切換弁Ｖ３が介在する接続管路Ｂ３によって連接され、油圧モータ３３の逆転側供給口３３ａと第３主切換弁Ｖ３の間は接続管路Ａ３によって連接されている。
【００４０】
第３主切換弁Ｖ３と押込シリンダ３４の伸長側油室３４ａとの間は第４主切換弁Ｖ４を介在する接続管路Ａ４によって連接され、押込シリンダ３４の収縮側油室３４ｂと第４主切換弁Ｖ４との間は接続管路Ｂ４によって連接されている。
【００４１】
第４主切換弁Ｖ４とリフトシリンダ３５の伸長側油室３５ａとの間は第５主切換弁Ｖ５を介在する接続管路Ａ５によって連接され、リフトシリンダ３５の収縮側油室３５ｂと第５主切換弁Ｖ５とは上記ドレン管路Ｂに連接されて、第５主切換弁Ｖ５の切換操作によって塵芥投入箱２を傾倒させるものであるが本発明の要部とは関係ないので構成の説明を省略する。
【００４２】
一方、排出シリンダ３２の伸長側油室３２ａは、第１パイロット弁ＰＶ１が途中に介在する第１接続管路Ｃ１によって上記ドレン管路Ｂに連接され、この第１パイロット弁ＰＶ１は第４主切換弁Ｖ４と押込シリンダ３４の伸長側油室３４ａとの間における接続管路Ａ４とパイロット管路Ｐ１によって連結され、第４主切換弁Ｖ４と押込シリンダ３４との間の油圧が所定値以上、換言すると押出シリンダ３４の油圧が所定値以上で第１パイロット弁ＰＶ１が開放されるように構成されている。
【００４３】
更に第１接続管路Ｃ１には、第１パイロット弁ＰＶ１の上流側から分岐して第１接続管路Ｃ１と並設する第２接続管路Ｃ２が設けられ、第２接続管路Ｃ２に補助押込板１４の突出を検出する上記突出検知スイッチ（図せず）が補助押込板１４の突出を検知した際に第２接続管路Ｃ２を開放する第１ソレノイド弁ＳＶ１と、第２パイロット弁ＰＶ２が介装されている。
【００４４】
この第２パイロット弁ＰＶ２は、第３主切換弁Ｖ３と油圧モータ３３の正転側供給口３３ｂとの間における接続管路Ｂ３とパイロット管路Ｐ２を介して連結され、第３主切換弁Ｖ３と油圧モータ３３との間の油圧が所定値以上、換言すると油圧モータ３３の正転に要する油圧が所定値以上で開放される第２パイロット弁ＰＶ２が接続管路Ｃ２に介装されている。
【００４５】
更に、供給管路Ａとドレン管路Ｂとの間にはリリーフ弁Ｖｒが、また接続管路Ａ２における排出シリンダ３２の収縮側油室３２ｂとの間とドレン管路Ｂとの間には接続管路Ａ２側からの油圧の流れを阻止するチェック弁ＣＶ２が各々介在する接続管によって接続されている。
【００４６】
次に、このように構成される塵芥収集車の塵芥積込装置の作用について説明する。
【００４７】
先ず、比較的嵩の低い厨雑芥等の塵芥を塵芥投入箱２に投入し、その塵芥を積込装置１０及び排出装置２０によって塵芥収容箱１内に積み込む場合について説明する。
【００４８】
塵芥投入箱２への塵芥投入に先立って予め、補助押込板支軸１３によって押込板１２に揺動可能に軸支された補助押込板１４を、図２（ａ）に示すように押込板１２に形成された補助押込板収納部１２ａ内に補助押込板１４の前面１４ｂが押込板１２の前面１２ｂと略連続するように収納される収納位置に補助押込板固定装置によって固定する。
【００４９】
この補助押込板１４が補助押込板収納部１２ａ内に収容された図２（ａ）の状態においては、突出検知スイッチによって補助押込板１４が収納位置であることが検知され、第１ソレノイド弁ＳＶ１は、図３に示すように第１接続管路Ｃ１を閉鎖した状態に維持される。
【００５０】
一方、塵芥収容箱１内に配設される排出装置２０の排出シリンダ３４を伸長して排出板２３が略床面１ａ上の後端に位置させると共に、第２主切換弁Ｖ２は図３に示すように接続管路Ａ２及びＢ２を閉鎖し、かつ油圧ポンプＰからの油圧を接続管路Ｂ３に供給する位置に切換え維持される。
【００５１】
そして、図４（ａ）に示すように回転板１６の先端が塵芥収容箱１の床面１ａの後端と略一致する積込開始時回転板位置Ｉでかつ、押込板１２が揺動前端位置に各々停止する状態で塵芥を投入口から塵芥投入箱２内に投入し、操作盤（図示せず）の作動スイッチ操作により積込装置１０を作動させる。
【００５２】
操作盤の作動スイッチ操作により油圧モータ３３の正転側供給口３３ｂに油圧ポンプＰからの油圧が供給されるように第３主切換弁Ｖ３が切換わり、油圧モータ３３が正転して回転軸１５が回転駆動され、回転板１６が回転する。
【００５３】
回転板１６が図４（ｂ）に示すように押込板戻り開始時回転板位置ＩＩに達するとその信号が制御装置に入力され、制御装置からの指示に従って第４主切換弁Ｖ４が切換わり接続管路Ａ４を介して押込シリンダ３４の収縮側油室３４ｂに油圧が供給されて押込シリンダ３４が収縮し、揺動前端位置にある押込板１２を揺動後端位置へ向けて揺動開始させる。
【００５４】
回転板１６が更に回転して図４（ｃ）に示すように押込板戻り完了時回転板位置ＩＩＩに達すると、押込板１２が揺動後端位置まで揺動し、第４主切換弁Ｖ４が図３に示すように切換わり第４主切換弁Ｖ４と押込シリンダ３４との間の接続管路Ａ４、Ｂ４が閉鎖して押込シリンダ３４の収縮を停止して押込板１２を揺動後端位置に保持する。
【００５５】
油圧モータ３３による回転板１６の回転は、続行されて塵芥投入箱２内に投入された塵芥を回転板１６によって掻き上げ、回転板１６の先端が塵芥収容箱１の床面１ａの後端と略一致する積込開始時回転板位置Ｉに達すると、その信号が制御装置に入力され、制御装置からの指示により第３主切換弁Ｖ３が図３に示すように切り換えられて第３主切換弁Ｖ３と油圧モータ３３との間の接続管路Ａ３、Ｂ３が閉鎖され、油圧モータ３３が停止して回転板１６が図４（ｄ）に示すように積込開始時回転板位置Ｉで停止する。
【００５６】
更に、制御装置からの指示に従って第４主切換弁Ｖ４が切換わり接続管路Ａ３を介して押込シリンダ３４の伸長側油室３４ｂに油圧が供給されて押込シリンダ３４が伸長し、図４（ｅ）のように揺動後端位置に位置する押込板１２を揺動前端位置まで揺動させて回転板１６によって掻き上げられた回転板１６上の塵芥を排出装置２０の排出板２３と押込板１２とにより圧縮付与しつつ塵芥収容箱１内に押し込み、第４主切換弁Ｖ４が図３に示すように切換わり第４主切換弁Ｖ４と押込シリンダ３４との間の接続管路Ａ４及び接続管路Ｂ４が閉鎖して押込シリンダ３４の収縮を停止して押込板１２が揺動前端位置に停止した図４（ａ）に示す状態に復帰する。
【００５７】
これら図４の（ａ）から（ｅ）に示す各作動を繰り返すことにより投入口から連続的に塵芥投入箱２内に投入された塵芥を順次塵芥収容箱１内に押し込み収容する。
【００５８】
押込板１２が揺動後端位置から揺動前端位置に揺動する塵芥押込過程で、押込板１２に塵芥による大きな反力が、すなわち塵芥押込反力が作用すると、第４主切換弁Ｖ４と押込シリンダ３４の伸長側油室３４ａとを連結する接続管路Ａ４内の油圧が塵芥押込反力に相応して上昇し、その油圧が所定値に達するとパイロット管路Ｐ１中の圧力が上昇する。
【００５９】
すると第１パイロット弁ＰＶ１が開放されて第１接続管路Ｃ１中の油がドレン管路Ｂを介して油タンクＴへ戻り、排出シリンダ３２は収縮可能な状態になり、塵芥の反力により排出板２３は若干後退する。
【００６０】
排出板２３の後退は第１接続管路Ｃ１、すなわち押込シリンダ３４の伸長側油室３４ａの圧力が第１パイロット弁ＰＶ１の設定圧力より高い限り継続して行われ、低くなると第１パイロット弁ＰＶ１が閉鎖されて停止する。
【００６１】
これによれば、押込板１２による塵芥押し込み時に塵芥の反力が所定値以上に増大すると、自動的に排出板２３が後退することになる。従って、ここで塵芥は強力に圧縮された後に塵芥収容箱１内に収容されることになり収容効率の増大が得られる。
【００６２】
次に、比較的嵩の高い空き缶やペットボトル等の塵芥を塵芥投入箱２に投入し、その塵芥を積込装置１０及び排出装置２０によって塵芥収容箱１内に積み込む場合について説明する。
【００６３】
塵芥投入箱２への塵芥投入に先立って予め、補助押込板支軸１３によって押込板１２に軸支された補助押込板１４を、図２（ｂ）に示すように補助押込板押１４の下面に設けられた受圧部１５ａを補助押込板収納部１２ａから突出させ、その突出状態に補助押込板固定装置によって固定する。
【００６４】
この補助押込板１４が補助押込板収納部１２ａ内から突出された状態においては、突出検知スイッチによって補助押込板１４が突出位置であることが検知されて、第１ソレノイド弁ＳＶ１は、図５に示すように第１接続管路Ｃ１を開放した状態に維持される。
【００６５】
一方、塵芥収容箱１内に配設される排出装置２０の排出シリンダ３４を伸長して排出板２３が略床面１ａ上の後端に位置させると共に、第２主切換弁Ｖ２は図５に示すように接続管路Ａ２及びＢ２を閉鎖し、かつ油圧ポンプＰからの油圧を接続管路Ｂ３に供給する位置に切換え維持される。
【００６６】
そして、図６（ａ）に示すように回転板１６の先端が塵芥収容箱１の床面１ａの後端と略一致する積込開始時回転板位置Ｉでかつ、押込板１２が揺動前端位置に各々停止する状態で塵芥を投入口から塵芥投入箱２内に投入し、操作盤（図示せず）の作動スイッチ操作により積込装置１０を作動させる。
【００６７】
操作盤の作動スイッチ操作により油圧モータ３３の正転側供給口３３ｂに油圧ポンプＰからの油圧が供給されるように第３主切換弁Ｖ３が切換わり、油圧モータ３３が正転して回転軸１５を介して回転板１６が回転駆動される。
【００６８】
回転板１６が図６（ｂ）に示す押込板戻り開始時回転板位置ＩＩに達するとその信号が制御装置に入力され、制御装置からの指示に従って第４主切換弁Ｖ４が切換わり接続管路Ｂ３を介して押込シリンダ３４の収縮側油室３４ａに油圧が供給されて押込シリンダ３４が収縮し、揺動前端位置にある押込板１２を揺動後端位置へ向けて揺動開始させる。
【００６９】
この押込板戻り開始時回転板位置ＩＩは、上記比較的嵩の低い厨雑芥等の塵芥を積み込む場合に比較して積込開始時回転板位置Ｉからの回転板１６の回動角が大、換言すると押込板１２の揺動前端位置からの揺動開始タイミングを遅らせることにより押込板１２及び補助押込板１４による塵芥収容箱１内の塵芥の保持時間を長くして塵芥の崩れ落ちを防止することにより、塵芥収容箱１内に押し込み積載された塵芥が塵芥投入箱２内に逆流するのを防止している。この塵芥逆流防止効果は、嵩の高い空き缶やペットボトル等の塵芥を塵芥収容箱１内に押込板１２等で押し込み積載する場合に顕著である。
【００７０】
回転板１６が塵芥投入箱２内に投入された塵芥を掻き上げながら回転して図６（ｃ）に示す押込板戻り完了時回転板位置ＩＩＩに達すると、押込板１２が揺動後端位置まで揺動し、第４主切換弁Ｖ４が図５に示すように切換わり第４主切換弁Ｖ４と押込シリンダ３４との間の接続管路Ａ４、Ｂ４が閉鎖して押込シリンダ３４の収縮を停止して押込板１２を揺動後端位置に保持する。
【００７１】
油圧モータ３３による回転板１６の回転は、続行されて回転板１６によって掻き上げられた塵芥を図６（ｄ）に示す積込開始時回転板位置Ｉまで上昇回転する回転板１６と揺動後端位置にある押込板１２の下部及び補助押込板１４に設けられた受圧部１５ａとの間で圧潰する。
【００７２】
回転板１６によって塵芥を受圧部１５ａに押し付けて圧潰する際、受圧部１５ａの前端から下方に突出する塵芥移動抑制部材１５ｂによって塵芥が受圧部１５ａの前端から塵芥収容箱１側へ移動する、いわゆる塵芥の逃げが防止されて回転板１６と受圧部１５ａとにより効率的に圧潰されて塵芥は減容される。更に圧潰する際、例えばキャップ等によって内部に空気が密封されたペットボトル等は受圧部１５ａに鋸歯状に突出形成された多数の突起に突き刺されて破壊され、容易に圧潰されて減容される。
【００７３】
積込開始時回転板位置Ｉに達すると、制御装置からの指示により第３主切換弁Ｖ３が図５に示すように切り換えられて第３主切換弁Ｖ３と油圧モータ３３との間の接続管路Ａ３、Ｂ３が閉鎖され、油圧モータ３３が停止して回転板１６が図６（ｄ）に示すように積込開始時回転板位置Ｉで停止する。
【００７４】
更に、制御装置からの指示に従って第４主切換弁Ｖ４が切換わり接続管路Ａ３を介して押込シリンダ３４の伸長側油室３４ａに油圧が供給されて押込シリンダ３４が伸長し、図６（ｅ）のように揺動後端位置に位置する押込板１２を揺動前端位置まで揺動させて回転板１６によって掻き上げられた回転板１６上の塵芥を排出装置２０の排出板２３と押込板１２とにより圧縮付与しつつ塵芥収容箱１内に押し込み、第４主切換弁Ｖ４が図５に示すように切換わり第４主切換弁Ｖ４と押込シリンダ３４との間の接続管路Ａ４、Ｂ４が閉鎖して押込シリンダ３４の収縮を停止して押込板１２が揺動前端位置に停止した図６（ａ）に示す状態に復帰する。
【００７５】
これら図６の（ａ）から（ｅ）に示す各作動を繰り返すことにより投入口から連続的に塵芥投入箱２内に投入された塵芥を順次塵芥収容箱１内に押し込み収容する。
【００７６】
回転板１６による塵芥掻き上げ過程で塵芥による反力、すなわち塵芥掻き上げ反力が回転板１６に作用すると、第３主切換弁Ｖ３と油圧モータ３３の正転側供給口３３ｂとを連結する接続管路Ｂ３内の油圧が塵芥掻き上げ反力に相応して上昇し、その油圧が所定値に達するとパイロット管路Ｐ２中の圧力が上昇する。
【００７７】
すると第２パイロット弁ＰＶ２が開放されて第２接続管路Ｃ２中の油が第１接続管路Ｃ１及びドレン管路Ｂを介して油タンクＴへ戻り、排出シリンダ３４は収縮可能な状態になり、押込板１２による塵芥の押し込みに先行して回転板１６の塵芥掻き上げに伴って塵芥収容箱１内に積み込まれる塵芥により排出板２３が押しやられ後退する。
【００７８】
排出板１３の後退は第２接続管路Ｃ２、すなわち油圧モータ３３の正転側供給口３３ｂに供給される圧力が第２パイロット弁ＰＶ２の設定圧力より高い限り継続して行われ、低くなると第２パイロット弁ＰＶ２が閉鎖されて停止する。よって、回転板１６による塵芥掻き上げ時に塵芥の反力が所定値以上に増大すると自動的に排出板１３が後退することになる。
【００７９】
更に、上記同様、押込板１２が揺動後端位置から揺動前端位置に揺動する塵芥押込過程で、塵芥による反力が作用すると、第４主切換弁Ｖ４と押込シリンダ３４の伸長側油室３４ａとを連結する接続管路Ａ４内の油圧が上昇し、所定値に達するとパイロット管路Ｐ１中の圧力が上昇して第１パイロット弁ＰＶ１が開放され、排出シリンダ３４は収縮可能な状態になり、排出板１３の後退は押込シリンダ３４の伸長側油室３４ａの圧力が第１パイロット弁ＰＶ１の設定圧力より高い限り行われ、低くなると第１パイロット弁ＰＶ１が閉鎖されて停止する。
【００８０】
従って、押込板１２による塵芥収容箱１への塵芥押し込みに先行して回転板１６による塵芥掻き上げ過程で塵芥による所定値以上の反力が回転板１６に作用すると塵芥によって排出板２３が後退することから、回転板１６による塵芥掻き上げ過程においても塵芥収容箱１内への塵芥積み込みが許容され、押込板１２による押し込みに要する押込力の低減が得らることと相俟って空き缶やペットボトル等の塵芥の積み込み作業が円滑かつ効率的に実施される。
【００８１】
次に、本発明による塵芥収集車の第２実施の形態を図７乃至図８によって説明する。
【００８２】
以下、本実施の形態は、上記第１実施の形態における塵芥収集車と基本構成を同一であり、第１実施の形態と異なる油圧回路について説明する。なお図７及び図８において図３及び図５と対応する部分に同一符号を付することで重複する部分の詳細な説明を省略する。
【００８３】
図７及び図８は、上記ロックシリンダ３１、排出シリンダ３２、油圧モータ３３、押込シリンダ３４、リフトシリンダ３５等の各油圧装置を作動制御するための油圧回路５０を示している。なお図７及び図８において図３及び図５と対応する部分に同一符号を付することで重複する部分の詳細な説明を省略する。
【００８４】
この油圧回路５０において、排出シリンダ３２の伸長側油室３２ａは、第３パイロット弁ＰＶ３が途中に介在する第３接続管路Ｃ３によって上記ドレン管路Ｂに連接され、この第３パイロット弁ＰＶ３は第４主切換弁Ｖ４と押込シリンダ３４の伸長側油室３４ａとの間における接続管路Ａ４とパイロット管路Ｐ３によって連結され、第４主切換弁Ｖ４と押込シリンダ３４との間の油圧が所定値以上、換言すると押込シリンダ３４の油圧が所定値以上で第３パイロット弁ＰＶ３が開放されるように構成されている。
【００８５】
更に第３接続管路Ｃ３には、第３パイロット弁ＰＶ３の上流側となる排出シリンダ３２と第３パイロット弁ＰＶ３との間において第２ソレノイド弁ＳＶ２を介在して選択的に第３接続管路Ｃ３と油路切換え可能な第４接続管路Ｃ４が第３パイロット弁ＰＶ３をバイパスするように並設され、第４接続管路Ｃ４の途中に第４パイロット弁ＰＶ４が介装されている。
【００８６】
この第４パイロット弁ＰＶ４は、第３主切換弁Ｖ３と油圧モータ３３の正転側供給口３３ｂとの間における接続管路Ｂ３とパイロット管路Ｐ４を介して連結され、第３主切換弁Ｖ３と油圧モータ３３との間の油圧が所定値以上、換言すると油圧モータ３３の正転側供給口３３ｂに供給される油圧が所定値以上で第４パイロット弁ＰＶ４が開放されるように構成されている。
【００８７】
上記第３接続管路Ｃ３と第４接続管路Ｃ４とに選択的に油路を切換える第２ソレノイド弁ＳＶ２は、補助押込板１４が補助押込板収納部１２ａ内に収容される収納位置であることを突出検知スイッチが検知すると、図７に示すように第３パイロット弁ＰＶ３側に、また補助押込板１４が補助押込板収納部１２ａ内から突出する突出位置を突出検知スイッチが検知すると、図８に示すように第４パイロット弁ＰＶ４側の油路が形成されるように選択的に切換制御される。。
【００８８】
次に、このように構成される塵芥収集車の塵芥積込装置の作用について説明する。
【００８９】
先ず、比較的嵩の低い厨雑芥等の塵芥を塵芥投入箱２に投入し、その塵芥を積込装置１０及び排出装置２０によって塵芥収容箱１内に積み込む場合について説明する。
【００９０】
塵芥投入箱２への塵芥投入に先立って予め、補助押込板支軸１３によって押込板１２に揺動可能に軸支された補助押込板１４を、図２（ａ）に示すように押込板１２に形成された補助押込板収納部１２ａ内に収納せしめて補助押込板固定装置によって固定する。
【００９１】
この補助押込板１４が補助押込板収納部１２ａ内に収容された状態においては、突出検知スイッチからの信号に従って第２ソレノイド弁ＳＶ２は、図７に示すように第４接続管路Ｃ４を閉鎖した状態に維持される。
【００９２】
一方、塵芥収容箱１内に配設される排出装置２０の排出シリンダ３４を伸長して排出板２３を略床面１ａ上の後端に位置させると共に、第２主切換弁Ｖ２は図７に示すように接続管路Ａ２及びＢ２を閉鎖し、かつ油圧ポンプＰからの油圧を接続管路Ｂ３に供給する位置に切換え維持される。
【００９３】
そして、上記第１実施の形態同様に操作盤の作動スイッチ及び制御装置からの指示により切換え作動する第３主切換弁Ｖ３及び第４主切換弁Ｖ４によって押込板１２及び回転板１６が、図４の（ａ）から（ｅ）に示す各作動を繰り返すことにより投入口から連続的に塵芥投入箱２内に投入された塵芥を順次塵芥収容箱１内に押し込み収容される。
【００９４】
そして、押込板１２が揺動後端位置から揺動前端位置に揺動する塵芥押込過程で、塵芥による大きな反力が押込板１２に作用すると、第４主切換弁Ｖ４と押込シリンダ３４の伸長側油室３４ａとを連結する接続管路Ａ４内の油圧が上昇し、その油圧が所定値に達するとパイロット管路Ｐ３中の圧力が上昇する。すると第３パイロット弁ＰＶ３が開放されて第３接続管路Ｃ３中の油がドレン管路Ｂを介して油タンクＴへ戻り、排出シリンダ３４は収縮可能な状態になり、塵芥の反力により排出板２３は若干後退する。
【００９５】
排出板１３の後退は接続管路Ｃ３内の圧力が第３パイロット弁ＰＶ３の設定圧力より高い限り継続して行われ、低くなると第３パイロット弁ＰＶ３が閉鎖されて停止する。よって押込板１２による塵芥押し込み時に塵芥の反力が所定値以上に増大すると、自動的に排出板１３が後退することになる。従って、ここで塵芥は排出板２３と押込板１２によって強力に圧縮された後に塵芥収容箱１内に収容されることになり収容効率の増大が得られる。
【００９６】
次に、比較的嵩の高い空き缶やペットボトル等の塵芥を塵芥投入箱２に投入し、その塵芥を積込装置１０及び排出装置２０によって塵芥収容箱１内に積み込む場合について説明する。
【００９７】
上記第１実施の形態同様、塵芥投入箱２への塵芥投入に先立って予め、補助押込板１４を、図２（ｂ）に示すように補助押込板押１４の下面に設けられた受圧部１５ａを補助押込板収納部１２ａから突出させ、その突出状態に補助押込板固定装置によって固定する。
【００９８】
この補助押込板１４が補助押込板収納部１２ａ内から突出された状態においては、突出検知スイッチによって補助押込板１４が突出位置であることが検知されて、第２ソレノイド弁ＳＶ２は、図８に示すように第３接続管路Ｃ３を閉鎖し、接続管路Ｃ４側に油路が形成された状態に維持される。
【００９９】
一方、塵芥収容箱１内に配設される排出装置２０の排出シリンダ３２を伸長して排出板２３が略床面１ａ上の後端に位置させると共に、第２主切換弁Ｖ２は図７に示すように接続管路Ａ２及びＢ２を閉鎖し、かつ油圧ポンプＰからの油圧を接続管路Ｂ３に供給する位置に切換え維持される。
【０１００】
そして、上記第１実施の形態同様に操作盤の作動スイッチ及び制御装置からの指示により切換え作動する第３主切換弁Ｖ３及び第４主切換弁Ｖ４によって押込板１２及び回転板１６が、図６の（ａ）から（ｅ）に示す各作動を繰り返すことにより投入口から連続的に塵芥投入箱２内に投入された塵芥を順次圧潰して減容し、塵芥収容箱１内に押し込み収容される。
【０１０１】
回転板１６による塵芥掻き上げ過程で塵芥による反力が回転板１６に作用すると、第３主切換弁Ｖ３と油圧モータ３３の正転側供給口３３ｂとを連結する接続管路Ｂ３内の油圧が上昇し、その油圧が所定値に達するとパイロット管路Ｐ４中の圧力が上昇する。すると第４パイロット弁ＰＶ４が開放されて排出シリンダ３２の伸長側油室３２ａ及び第２ソレノイド弁ＳＶ２を介して接続される第４接続管路Ｃ４中の油がドレン管路Ｂを介して油タンクＴへ戻り、排出シリンダ３４は収縮可能な状態になり、押込板１２による塵芥の押し込みに先行して回転板１６によって掻き上げられて塵芥収容箱１内に積み込まれる塵芥により排出板２３が押しやられて後退する。
【０１０２】
従って、押込板１２による塵芥収容箱１への塵芥押し込みに先行して回転板１６による塵芥掻き上げ過程で塵芥による所定値以上の反力が回転板１６に作用すると排出板２３が塵芥によって後退することから、回転板１６による塵芥掻き上げ過程においても塵芥収容箱１内への塵芥積み込みが許容され、押込板１２による押し込みに要する押込力の低減が得らることと相俟って空き缶やペットボトル等の塵芥の積み込み作業が円滑かつ効率的に実施される。
【０１０３】
【発明の効果】
以上説明した本発明による塵芥収集車によると、予め分別された比較的嵩の低い厨雑芥等の塵芥の積み込みには、補助押込板内に補助押込板を収納固定し、塵芥投入箱内に投入した塵芥を回転板により掻き上げ、回転板で掻き上げられた塵芥を押込板で塵芥収容箱内に積み込みかつ、押込板に塵芥の押込反力が所定値以上作用すると自動的に排出板が後退することによって、排出板と押込板とによって塵芥を強力に圧縮した後に塵芥収容箱内に収容されて収容効率の増大が得られる。
【０１０４】
一方空き缶やペットボトル等の嵩の高い塵芥の積み込みには、押込板内から補助押込板を突出させて固定し、塵芥投入箱内に投入された塵芥を回転板によって掻き上げ、補助押込板の下面と回転板によって塵芥を圧潰して減容し、押込板によって塵芥収容箱内に積み込み、かつ回転板に所定以上の掻き上げ反力が作用すると自動的に排出板を塵芥によって後退せしめることにより、回転板による塵芥掻き上げ過程においても塵芥収容箱内への塵芥積み込みが許容され、押込板による押し込みに要する押込力の低減が得らることと相俟って塵芥の積み込み作業が円滑かつ効率的に行われ、分別された厨雑芥等の嵩の低い塵芥及び空き缶やペットボトル等の嵩の高い塵芥等異なる種類の塵芥を積み込む積み込み作業の効率化が得られ、塵芥収集車による塵芥収集作業の効率化に貢献すること大なるものである。
【図面の簡単な説明】
【図１】本発明による塵芥収集車の第１実施の形態の概要を説明する要部側面図である。
【図２】同じく、押込板及び補助押込板の作動を説明する概要説明図であり、（ａ）は補助押込板の収容状態を示し、（ｂ）は補助押込板の突出状態を示す説明図である。
【図３】同じく、油圧回路図である。
【図４】同じく、作動説明図である。
【図５】同じく、油圧回路図である。
【図６】同じく、作動説明図である。
【図７】本発明による塵芥収集車の第２実施の形態の概要を説明する油圧回路図である。
【図８】同じく、油圧回路図である。
【図９】従来の塵芥収集車の概要説明図である。
【図１０】同じく、塵芥積込装置の作動説明図である。
【符号の説明】
１  塵芥収容箱
２  塵芥投入箱
１０  積込装置
１２  押込板
１４  補助押込板
１６  回転板
２０  排出装置
２３  排出板
３２  排出シリンダ
３３  油圧モータ
３４  押込シリンダ
Ｃ１  第１接続管路
Ｃ２  第２接続管路
Ｃ３  第３接続管路
Ｃ４  第４接続管路
ＰＶ１  第１パイロット弁
ＰＶ２  第２パイロット弁
ＰＶ３  第３パイロット弁
ＰＶ４  第４パイロット弁
ＳＶ１  第１ソレノイド弁
ＳＶ２  第２ソレノイド弁
Ｂ  ドレン管路
【図１】
0004055868.tif 000002
【図２】
0004055868.tif 000003
【図３】
0004055868.tif 000004
【図４】
0004055868.tif 000005
【図５】
0004055868.tif 000006
【図６】
0004055868.tif 000007
【図７】
0004055868.tif 000008
【図８】
0004055868.tif 000009
【図９】
0004055868.tif 000010
【図１０】
0004055868.tif 000011